(57)【特許請求の範囲】
【請求項１】
容器体口頸部（１００）外周に嵌合させる嵌合筒（１０）の上端より延設した頂板（１１）の前方偏心位置に筒状の定量振出口（１２）を設け、頂板（１１）中央部に窓孔（１３）を穿設し、定量振出口（１２）と窓孔（１３）との間の頂板（１１）裏面より窓孔（１３）と同心円状に区画筒（１４）を垂設した栓本体（Ａ１）と、栓本体（Ａ１）の後部に後部を回動可能に連結した周壁（２１）の上端縁より頂壁（２２）を延設し、頂壁（２２）裏面より垂設した棒栓（２３）を定量振出口（１２）を閉塞して着脱可能に嵌合させ、栓本体（Ａ１）に対して開閉可能に設けた蓋体（Ａ２）と、定量振出口（１２）及び窓孔（１３）を包含する頂板（１１）裏面中央部に上端を嵌着させて口頸部（１００）内周面に嵌合させる筒壁（３０）を備え、筒壁（３０）下端縁より上方へ窄むテーパ筒（３２）を起立し、テーパ筒（３２）の周囲に計量室（３３）を画成した計量筒部材（Ａ３）と、窓孔（１３）に嵌着した嵌着基部（４０）より窓孔（１３）上方に立設した筒状の任意量振出口（４１）の上端に開閉可能な蓋板（４２）を一体に形成した任意量振出口部材（Ａ４）とを備え、栓本体（Ａ１）、蓋体（Ａ２）、計量筒部材（Ａ３）の組み合わせに対して、窓孔（１３）に嵌着可能な嵌着基部（４０）を備え且つ別形態の任意量振出口（４１）備えた複数種類の任意量振出口部材（Ａ４）の嵌着固定が可能に構成したことを特徴とする定量栓。
【請求項２】
任意量振出口部材（Ａ４）が、区画筒（１４）内上端部に嵌合する大径筒部（４０ａ）の上端より頂板（１１）裏面に嵌合するフランジ部（４０ｂ）を介して窓孔（１３）内周に嵌合する小径筒部（４０ｃ）を起立した嵌着基部（４０）を備え、小径筒部（４０ｃ）の上端に任意量振出口（４１）を立設している請求項１記載の定量栓。
【請求項３】
任意量振出口部材（Ａ４）が、上方より窓孔（１３）に嵌着するとともに、窓孔（１３）下縁及び上縁にそれぞれ係合する下部係合突条（４８）及び上部係合突条（４９）を突設した筒状の嵌着基部（４０）を備え、嵌着基部（４０）の上端に任意量振出口（４１）を立設している請求項１記載の定量栓。
【請求項４】
任意量振出口（４１）が上方へ窄むテーパ筒状をなしている請求項１乃至請求項３のいずれか１項に記載の定量栓。
【請求項５】
任意量振出口（４１）が上下同径の筒状をなし、複数の透孔（４５）を穿設した振出板部（４６）を横設している請求項１乃至請求項３のいずれか１項に記載の定量栓。
【請求項６】
区画筒（１４）を、当該区画筒の外周前縁が定量振出口（１２）の基端開口の内周後端縁と接する位置に垂設し、筒壁（３０）の内周前縁が定量振出口（１２）の基端開口の内周先端縁と接する位置に計量筒部材（Ａ３）を嵌着した請求項１乃至請求項５のいずれか１項に記載の定量栓。
【請求項７】
頂板（１１）裏面に突設したリング状の嵌合用突起（１５）内周に筒壁（３０）の上端を嵌着し、筒壁（３０）外面より嵌合用突起（１５）下面に係合し且つ容器体（Ｂ）の口頸部（１００）上面に係合するフランジ（３４）を突設して計量筒部材（Ａ３）を構成した請求項１乃至請求項６のいずれか１項に記載の定量栓。
【請求項８】
計量筒部材（Ａ３）及び任意量振出口部材（Ａ４）を着脱可能に構成した請求項１乃至請求項７のいずれか１項に記載の定量栓。
【発明の詳細な説明】
【技術分野】
【０００１】
本発明は定量栓に関し、詳しくは、粉体、流体等を計量して振り出すことができる定量栓に関する。
【背景技術】
【０００２】
定量の粉体或いは任意量の粉体を取り扱い操作により選択して振り出すことができる定量栓が種々提案されている。（例えば、特許文献１を参照）
【０００３】
上記特許文献１に記載された計量栓は、容器体の口頸部に嵌合させるもので、フランジ状頂壁内周から口頸部内面へ嵌合させた嵌着筒を垂下し、該嵌着筒下端から内向きフランジを介して上方小径のテーパ状筒を起立する固定筒と、上記フランジ状頂壁後面に肉薄ヒンジで固定筒上面を閉塞する頂板を連結し、該頂板の外周部下面から、嵌着筒の上部内面へ着脱自在に嵌合させた係止筒を、上記頂板中央部下面から、テーパ状筒上端部を下部内へ遊挿させた計量筒をそれぞれ垂下し、且つ係止筒と計量筒との間の頂板部分には、小連結部分を複数残して収納物排出孔を穿設した回動部材とで形成している。
【先行技術文献】
【特許文献】
【０００４】
【特許文献１】特開平０９−１１００６３号公報
【発明の概要】
【発明が解決しようとする課題】
【０００５】
上記従来の計量栓は、容器体を倒立させた後、正立させ、再び倒立させることで、収納物排出孔から定量の粉体を振り出すことができ、また、回動部材を開放して容器体を傾けることで、テーパ状筒から任意量の粉体を振り出すことができ、定量及び任意量の粉体の振り出しを何れも簡単な操作で行うことができるという特徴がある。
【０００６】
本発明は定量の振り出し及び任意量の振り出しが可能であり、しかも、任意量の振り出し形態を、製造段階に於いてごく一部の部材を変更することで種々採用できる全体構造を持った定量栓を提案する。また、使用時にごく一部の部材を簡単に交換することで、任意量振出口の形態を変更することができる定量栓を提案する。
【課題を解決するための手段】
【０００７】
第１の手段として、以下の通り構成した。即ち、容器体口頸部１００外周に嵌合させる嵌合筒１０の上端より延設した頂板１１の前方偏心位置に筒状の定量振出口１２を設け、頂板１１中央部に窓孔１３を穿設し、定量振出口１２と窓孔１３との間の頂板１１裏面より窓孔１３と同心円状に区画筒１４を垂設した栓本体Ａ１と、栓本体Ａ１の後部に後部を回動可能に連結した周壁２１の上端縁より頂壁２２を延設し、頂壁２２裏面より垂設した棒栓２３を定量振出口１２を閉塞して着脱可能に嵌合させ、栓本体Ａ１に対して開閉可能に設けた蓋体Ａ２と、定量振出口１２及び窓孔１３を包含する頂板１１裏面中央部に上端を嵌着させて口頸部１００内周面に嵌合させる筒壁３０を備え、筒壁３０下端縁より上方へ窄むテーパ筒３２を起立し、テーパ筒３２の周囲に計量室３３を画成した計量筒部材Ａ３と、窓孔１３に嵌着した嵌着基部４０より窓孔１３上方に立設した筒状の任意量振出口４１の上端に開閉可能な蓋板４２を一体に形成した任意量振出口部材Ａ４とを備え、栓本体Ａ１、蓋体Ａ２、計量筒部材Ａ３の組み合わせに対して、窓孔１３に嵌着可能な嵌着基部４０を備え且つ別形態の任意量振出口４１備えた複数種類の任意量振出口部材Ａ４の嵌着固定が可能に構成した。
【０００８】
第２の手段として、以下の通り構成した。即ち、前記第１の手段に於いて、任意量振出口部材Ａ４が、区画筒１４内上端部に嵌合する大径筒部４０ａの上端より頂板１１裏面に嵌合するフランジ部４０ｂを介して窓孔１３内周に嵌合する小径筒部４０ｃを起立した嵌着基部４０を備え、小径筒部４０ｃの上端に任意量振出口４１を立設している。
【０００９】
第３の手段として、以下の通り構成した。即ち、前記第１の手段に於いて、任意量振出口部材Ａ４が、上方より窓孔１３に嵌着するとともに、窓孔１３下縁及び上縁にそれぞれ係合する下部係合突条４８及び上部係合突条４９を突設した筒状の嵌着基部４０を備え、嵌着基部４０の上端に任意量振出口４１を立設した。
【００１０】
第４の手段として、以下の通り構成した。即ち、前記第１の手段乃至第３の手段に於いて、任意量振出口４１が上方へ窄むテーパ筒状をなしている。
【００１１】
第５の手段として、以下の通り構成した。即ち、前記第１の手段乃至第３の手段に於いて、任意量振出口４１が上下同径の筒状をなし、複数の透孔４５を穿設した振出板部４６を横設している。
【００１２】
第６の手段として、以下の通り構成した。即ち、前記第１の手段乃至第５の手段のいずれかの手段に於いて、区画筒１４を、当該区画筒の外周前縁が定量振出口１２の基端開口の内周後端縁と接する位置に垂設し、筒壁３０の内周前縁が定量振出口１２の基端開口の内周先端縁と接する位置に計量筒部材Ａ３を嵌着した。
【００１３】
第７の手段として、以下の通り構成した。即ち、前記第１の手段乃至第６の手段のいずれかの手段に於いて、頂板１１裏面に突設したリング状の嵌合用突起１５内周に筒壁３０の上端を嵌着し、筒壁３０外面より嵌合用突起１５下面に係合し且つ容器体Ｂの口頸部１００上面に係合するフランジ３４を突設して計量筒部材Ａ３を構成した。
【００１４】
第８の手段として、以下の通り構成した。即ち、前記第１の手段乃至第７の手段のいずれかの手段に於いて、計量筒部材Ａ３及び任意量振出口部材Ａ４を着脱可能に構成した。
【発明の効果】
【００１５】
本発明によれば、定量の振り出し及び任意量の振り出しを簡単な切り替え操作で行え、しかも、任意量振出口４１の形態を、製造段階に於いてごく一部の部材を変更することで種々採用できる製造上の利点がある。
【００１６】
任意量振出口部材Ａ４が、区画筒１４内上端部に嵌合する大径筒部４０ａの上端より頂板１１裏面に嵌合するフランジ部４０ｂを介して窓孔１３内周に嵌合する小径筒部４０ｃを起立した嵌着基部４０を備え、小径筒部４０ｃの上端に任意量振出口４１を立設している場合には、栓本体Ａ１に対する任意量振出口部材Ａ４の嵌着を気密に安定して行うことができ、仮に取り外し可能な形態のものであっても上方からの押し下げにより容易に取り外すことも可能である。
【００１７】
任意量振出口部材Ａ４が、上方より窓孔１３に嵌着するとともに、窓孔１３下縁及び上縁にそれぞれ係合する下部係合突条４８及び上部係合突条４９を突設した筒状の嵌着基部４０を備え、嵌着基部４０の上端に任意量振出口４１を立設している場合には、計量筒部材Ａ３を嵌着状態での装着が可能であり、仮に取り外し可能な形態のものであれば、計量筒部材Ａ３を取り外さずに交換が可能である。
【００１８】
任意量振出口４１が上方へ窄むテーパ筒状をなしている場合には、粉体や粒体を大量に振り出すことが可能である。
【００１９】
任意量振出口４１が上下同径の筒状をなし、複数の透孔４５を穿設した振出板部４６を横設している場合には、粉体や粒体の良好な分散状態での振り出しが可能である。
【００２０】
また区画筒１４を、当該区画筒１４の外周前縁が定量振出口１２の基端開口の内周後端縁と接する位置に垂設し、筒壁３０の内周前縁が定量振出口１２の基端開口の内周先端縁と接する位置に計量筒部材Ａ３を嵌着した場合には、定量振出口１２の基端周囲に定量された収容物が引っ掛かる等の不都合を極力減らすことができる。
【００２１】
頂板１１裏面に突設したリング状の嵌合用突起１５内周に筒壁３０の上端を嵌着し、筒壁３０外面より嵌合用突起１５下面に係合し且つ容器体Ｂの口頸部１００上面に係合するフランジ３４を突設して計量筒部材Ａ３を構成した場合には、計量筒部材Ａ３の装着が容易であり、また、仮に着脱可能に設けた場合にはその取り外しも容易となる。また、フランジ３４と筒壁３０との存在でより良好な気密性を得られる。
【００２２】
計量筒部材Ａ３及び任意量振出口部材Ａ４を着脱可能に構成した場合には、形態の異なる複数の任意量振出口部材Ａ４を揃えておいて必要に応じて交換使用することができる利点がある。
【図面の簡単な説明】
【００２３】
【図１】定量栓の縦断面図である。（実施例１）
【図２】栓本体及び蓋体と計量筒部材とを分解した状態の縦断面図である。（実施例１）
【図３】任意量振出口部材の縦断面図である。（実施例１）
【図４】任意量振出口部材の縦断面図である。（実施例２）
【図５】定量栓の縦断面図である。（実施例２）
【図６】定量栓の縦断面図である。（実施例３）
【発明を実施するための形態】
【００２４】
以下、本発明の形態を図面を参照して説明する。
【００２５】
図１は定量栓の実施例１を示し、定量栓Ａは容器体Ｂに嵌着して使用される。
【００２６】
定量栓Ａは合成樹脂製で、栓本体Ａ１と、蓋体Ａ２と、計量筒部材Ａ３と、任意量振出口部材Ａ４とを備えている。
【００２７】
栓本体Ａ１は、図１の正面右方向から見た縦断面図に示す如く、容器体口頸部１００外周に嵌合させる嵌合筒１０の上端より延設した頂板１１の前方偏心位置に筒状の定量振出口１２を備え、頂板１１中央部に円形の窓孔１３を穿設している。定量振出口１２は、栓本体Ａ１の頂板１１に穿設された、下部が垂直で上部が上方に広がるテーパ状をなす透孔１２ａにより基端を開口し、透孔１２ａの上端縁より上方に窄むテーパ筒状に構成している。窓孔１３は任意量振出口部材Ａ４を嵌合させるためのもので、本例では円形に形成されているが、任意量振出口部材Ａ４の形状に併せてその形状は種々選択できる。また、定量振出口１２の基端開口である透孔１２ａと窓孔１３との間の頂板１１裏面より、窓孔１３と同心円状に区画筒１４を垂設している。本例に於ける区画筒１４は、定量振出口１２の基端開口である透孔１２ａの内周後端縁に当該区画筒１４の外周前縁が接する位置に垂設されている。更に、窓孔１３外方の頂板１１裏面からはリング状の嵌合用突起１５を突設している。この嵌合用突起１５は計量筒部材Ａ３を嵌合させるためのものである。
【００２８】
蓋体Ａ２は栓本体Ａ１と一体に形成されたもので、栓本体Ａ１の後部にヒンジ２０を介して後部を回動可能に連結した周壁２１の上端縁より頂壁２２を延設し、頂壁２２裏面より垂設した棒栓２３を定量振出口１２を閉塞して着脱可能に嵌合させて栓本体Ａ１に対して開閉可能に設けている。また、周壁２１の前部には指掛け用突片２４を一体に突設している。
【００２９】
計量筒部材Ａ３も合成樹脂製で、定量振出口１２及び窓孔１３を包含する頂板１１裏面中央部に上端を嵌着させ、口頸部１００内周面に嵌合させる筒壁３０を備えている。また、筒壁３０下端縁より内方へ延設したフランジ３１を介して上方へ窄むテーパ筒３２を起立し、テーパ筒３２の周囲に計量室３３を画成している。テーパ筒３２の上端は区画筒１４の下端よりやや上方に起立しているが、これに限らず、多少の上下位置の選択は可能である。本例では、栓本体Ａ１の嵌合用突起１５の内周に筒壁３０の上端部外周を気密に嵌合し、嵌合用突起１５下面に係合するフランジ３４を筒壁３０の外周上部より突設している。フランジ３４は口頸部１００上面に気密に係合する。また、筒壁３０の内周前縁が定量振出口１２の基端開口である透孔１２ａの内周先端縁と接する位置に計量筒部材Ａ３を嵌着している。従って、定量振出口１２の基端開口である透孔１２ａは、区画筒１４と筒壁３０との間に前後が隙間なく挟まれた状態となっている。尚、この計量筒部材Ａ３は、栓本体Ａ１に対して離脱が不能な大きな係合強度で嵌着させているが、後述する如く着脱可能に嵌着させても良い。
【００３０】
任意量振出口部材Ａ４は合成樹脂製で、窓孔１３に嵌着した嵌着基部４０より窓孔１３上方に立設した筒状の任意量振出口４１の上端に開閉可能な蓋板４２を一体に形成している。図１の例では、区画筒１４内上端部に嵌合する大径筒部４０ａの上端より頂板１１裏面に嵌合するフランジ部４０ｂを介して窓孔１３内周に嵌合する小径筒部４０ｃを起立した嵌着基部４０を備え、小径筒部４０ｃの上端に任意量振出口４１を立設している。また、任意量振出口４１が上方へ窄むテーパ筒状をなしている。更に、任意量振出口４１の後部に後部をヒンジ４３を介して連結して蓋板４２を一体に形成している。蓋板４２の下面からは、任意量振出口４１の上端に嵌合するシール筒４４を垂設している。蓋板４２の前部には指掛け用突片４７を突設している。
【００３１】
本発明では、栓本体Ａ１、蓋体Ａ２、計量筒部材Ａ３の組み合わせに対して、窓孔１３に嵌着可能な嵌着基部４０を備え且つ別形態の任意量振出口４１を備えた複数種類の任意量振出口部材Ａ４の嵌着固定が可能に構成している。
【００３２】
例えば、図２に示す如く、栓本体Ａ１及び蓋体Ａ２と、外れた状態の計量筒部材Ａ３との組み合わせに対して、窓孔１３部分に嵌着する同一の嵌着基部４０を備え且つ定量振出口１２部分の構造の相違する図３及び図４に示す如き任意量振出口部材Ａ４を用意しておけば、製造時必要に応じて、図３の任意量振出口部材Ａ４或いは図４の任意量振出口部材Ａ４を選択して嵌着することができる。
【００３３】
図４に示す任意量振出口部材Ａ４は、任意量振出口４１が上下同径の筒状をなし、複数の透孔４５を穿設した振出板部４６を横設している。図５は図４の任意量振出口部材Ａ４を嵌着した例を示す。
【００３４】
上記図１及び図５の例では任意量振出口部材Ａ４を栓本体Ａ１の下方から嵌着する例を示したが、図６に示す如く、任意量振出口部材Ａ４を栓本体Ａ１の上方から嵌着する如く構成しても良い。図６の例では、任意量振出口部材Ａ４が、上方より窓孔１３に嵌着するとともに、窓孔１３下縁及び上縁にそれぞれ係合する下部係合突条４８及び上部係合突条４９を突設した筒状の嵌着基部４０を備え、嵌着基部４０の上端に図１と同様の任意量振出口４１を立設している。
【００３５】
図１、図５及び図６の例では、任意量振出口部材Ａ４が嵌合強度の大きい嵌合により嵌着させているが、これらを着脱が可能に構成し、また、同様に計量筒部材Ａ３も着脱が可能に構成しておけば、栓本体Ａ１及び蓋体Ａ２と計量筒部材Ａ３との一組に対して、図３、図４或いは図６に嵌合された如き任意量振出口部材Ａ４と一緒に販売等することで、必要に応じて任意量振出口部材Ａ４を交換することができる利点がある。尚、任意量振出口部材Ａ４は上記した３例のものに限らず採用できる。従って、交換用として２種類以上（全体として３種以上）を備えた定量栓とすることも可能である。
【００３６】
上記の如く構成された定量栓Ａを容器体Ｂに装着したものを使用する場合について説明する。本発明に於ける定量栓Ａは、粉体、流体等の振り出しに使用するもので、定量を振り出したい場合には、図１の状態から容器体Ｂを倒立させた後正立させると計量室３３内に略定量の容器体Ｂ内収容物が計量される。次いで蓋体Ａ２を開いて容器体Ｂを傾ければ、定量振出口１２から計量された収容物を振り出すことができる。
【００３７】
また、任意量の収容物を振り出したい場合には、蓋体Ａ２及び蓋板４２をあけて容器を傾ければ任意量振出口４１から任意量の収容物を振り出すことができる。
【符号の説明】
【００３８】
Ａ：定量栓
Ａ１：栓本体
１０…嵌合筒、１１…頂板、１２…定量振出口、１２ａ…透孔、１３…窓孔、
１４…区画筒、１５…嵌合用突起
Ａ２：蓋体
２０…ヒンジ、２１…周壁、２２…頂壁、２３…棒栓、２４…指掛け用突片
Ａ３：計量筒部材
３０…筒壁、３１…フランジ、３２…テーパ筒、３３…計量室、３４…フランジ
Ａ４：任意量振出口部材
４０…嵌着基部、４０ａ…大径筒部、４０ｂ…フランジ部、４０ｃ…小径筒部、
４１…任意量振出口、４２…蓋板、４３…ヒンジ、４４…シール筒、４５…透孔、
４６…振出板部、４７…指掛け用突片、４８…下部係合突条、４９…上部係合突条
Ｂ：容器体
１００…口頸部
【図１】
0005686411.tif 000002
【図２】
0005686411.tif 000003
【図３】
0005686411.tif 000004
【図４】
0005686411.tif 000005
【図５】
0005686411.tif 000006
【図６】
0005686411.tif 000007